(57)【要約】      （修正有）【課題】コンテンツにおけるＵＯマスクを用いた操作の制御は維持しつつ、ＵＯマスクされた操作の利便性を向上させることができるコンテンツ再生装置を提供する。【解決手段】コンテンツの内容に応じて特定の操作を禁止するＵＯマスクを規定するＵＯマスク情報を取得する信号処理部と、コンテンツデータの再生中に、外部Ｉ／Ｆ処理部により受け付けられた操作がＵＯマスクで禁止されている場合、当該操作を保持し、信号処理部により取得されたＵＯマスク情報に基づいてＵＯマスクが解除されたと判断した時点で、保持した操作を実行する情報処理部とを備える。【選択図】図４
2014182860.tif 000002
【特許請求の範囲】
【請求項１】
ユーザからの操作を受け付ける外部Ｉ／Ｆ処理部を備え、前記外部Ｉ／Ｆ処理部が受け付けた操作に従ってコンテンツデータの再生を制御するコンテンツ再生装置において、
コンテンツの内容に応じて特定の操作を禁止するＵＯマスクを規定するＵＯマスク情報を取得する信号処理部と、
前記コンテンツデータの再生中に、前記外部Ｉ／Ｆ処理部により受け付けられた操作がＵＯマスクで禁止されている場合、当該操作を保持し、前記信号処理部により取得されたＵＯマスク情報に基づいて前記ＵＯマスクが解除されたと判断した時点で、前記保持した操作を実行する情報処理部とを備えたことを特徴とするコンテンツ再生装置。
【請求項２】
ユーザからの操作を受け付ける外部Ｉ／Ｆ処理部を備え、前記外部Ｉ／Ｆ処理部が受け付けた操作に従ってコンテンツデータの再生を制御するコンテンツ再生装置において、
コンテンツの内容に応じて特定の操作を禁止するＵＯマスクを規定するＵＯマスク情報を取得する信号処理部と、
前記コンテンツデータの再生中に、前記外部Ｉ／Ｆ処理部により受け付けられた操作がＵＯマスクで禁止されている場合、前記信号処理部により取得されたＵＯマスク情報に基づいて当該操作と同一のまたは類似した処理結果が得られる他の操作の中からＵＯマスクが設定されていない操作を判別し、判別結果の操作を実行する情報処理部とを備えたことを特徴とするコンテンツ再生装置。
【請求項３】
前記情報処理部は、前記ＵＯマスクで禁止されている操作と同一のまたは類似した処理結果が得られる複数の操作がある場合、同一の処理結果が得られる操作を、類似した処理結果が得られる操作よりも優先して判別することを特徴とする請求項２記載のコンテンツ再生装置。
【発明の詳細な説明】
【技術分野】
【０００１】
この発明は、コンテンツデータを再生するコンテンツ再生装置に関する。
【背景技術】
【０００２】
近年、ＢＤＭＶ（Ｂｌｕ−ｒａｙ  Ｄｉｓｃ  Ｍｏｖｉｅ（Ｂｌｕ−ｒａｙ  Ｄｉｓｃは登録商標））やＤＶＤ−Ｖｉｄｅｏなどの記録メディアに記録されたコンテンツデータを再生するプレーヤが普及している。
ユーザは、プレーヤに記録メディアを挿入して、コンテンツデータの再生、再生の一時停止、早送り早戻しなどの操作を行うことができる。
【０００３】
一方、コンテンツの制作者は、コンテンツ制作時に、コンテンツデータに対して再生に関する制御を設定することができる。例えば、特定のシーンの再生中には、ユーザが一時停止または早送りなどをできないように設定できる。このような設定は、ＵＯ（Ｕｓｅｒ  Ｏｐｅｒａｔｉｏｎ）マスクと呼ばれている。ユーザがＵＯマスクされた操作を要求すると、プレーヤは、警告音を出すか、操作禁止を知らせる画面表示を行う。
【０００４】
また、ＵＯマスクは、コンテンツによって様々な設定が可能である。このため、ユーザは、上述のような警告などによって、要求した操作がＵＯマスクで禁止されていることは知ることができるが、どのタイミングでその操作が実行できるようになるのか、すなわちＵＯマスクが解除されるタイミングを知ることはできない。このような場合、従来では、ＵＯマスクが解除されるまで操作を繰り返し要求していた。
【０００５】
例えば、特許文献１には、ＵＯマスクによる操作の禁止とその解除をユーザに提示する手段を有したＡＶシステムが開示されている。このＡＶシステムは、例えばＤＶＤの再生と並行して、各操作について現時点で禁止または許可のいずれになっているかを検出し、操作が禁止または許可されていることを、操作キーのＬＥＤの点灯状態で提示する。
【先行技術文献】
【特許文献】
【０００６】
【特許文献１】特開平１１−３１２０４２号公報
【発明の概要】
【発明が解決しようとする課題】
【０００７】
ＵＯマスクによってユーザが要求した操作を実行禁止とすること自体は、コンテンツの制作者が意図する規格動作として問題はない。
しかしながら、ＵＯマスクが解除されるタイミングを知ることができないため、上述のように操作要求を繰り返すか、操作が可能になるまで必要以上に待つ必要があり、利便性が悪いという課題があった。
【０００８】
なお、特許文献１のように操作が禁止または許可されていることを提示しても、結局のところ、ユーザは操作が許可されたことの提示を待つ必要がある。このため、提示手段の提示内容にずっと注目していないと、ＵＯマスクの解除タイミングを逃し操作を実行するまでに必要以上の時間を待つ可能性がある。
【０００９】
この発明は、上記のような課題を解決するためになされたもので、コンテンツにおけるＵＯマスクを用いた操作の制御は維持しつつ、ＵＯマスクされた操作の利便性を向上させることができるコンテンツ再生装置を得ることを目的とする。
【課題を解決するための手段】
【００１０】
この発明に係るコンテンツ再生装置は、ユーザからの操作を受け付ける外部Ｉ／Ｆ処理部を備え、外部Ｉ／Ｆ処理部が受け付けた操作に従ってコンテンツデータの再生を制御するコンテンツ再生装置において、コンテンツの内容に応じて特定の操作を禁止するＵＯマスクを規定するＵＯマスク情報を取得する信号処理部と、コンテンツデータの再生中に、外部Ｉ／Ｆ処理部により受け付けられた操作がＵＯマスクで禁止されている場合、当該操作を保持し、信号処理部により取得されたＵＯマスク情報に基づいてＵＯマスクが解除されたと判断した時点で、保持した操作を実行する情報処理部を備えたことを特徴とする。
【発明の効果】
【００１１】
この発明によれば、コンテンツにおけるＵＯマスクを用いた操作の制御は維持しつつ、ＵＯマスクされた操作の利便性を向上させることができるという効果がある。
【図面の簡単な説明】
【００１２】
【図１】この発明に係るコンテンツ再生装置の構成を示すブロック図である。
【図２】この発明の実施の形態１に係るコンテンツ再生装置の動作を示すフローチャートである。
【図３】ＵＯマスクが設定された操作の自動実行処理の流れを示すフローチャートである。
【図４】ＵＯマスクが設定された操作の自動実行処理の概要を示す図である。
【図５】この発明の実施の形態２に係るコンテンツ再生装置の動作を示すフローチャートである。
【図６】“早送り”の類似操作の判断処理の流れを示すフローチャートである。
【図７】類似操作の実行処理の概要を示す図である。
【図８】自動実行および差し替え実行の選択画面の一例を示す図である。
【図９】“早戻し”の類似操作の判断処理の流れを示すフローチャートである。
【図１０】“スキップネクスト”の類似操作の判断処理の流れを示すフローチャートである。
【図１１】“スキップバック”の類似操作の判断処理の流れを示すフローチャートである。
【図１２】“ポップアップオン”の類似操作の判断処理の流れを示すフローチャートである。
【図１３】“メニューコール”の類似操作の判断処理の流れを示すフローチャートである。
【図１４】“タイトルメニュー”の類似操作の判断処理の流れを示すフローチャートである。
【図１５】“ルートメニュー”の類似操作の判断処理の流れを示すフローチャートである。
【発明を実施するための形態】
【００１３】
実施の形態１．
図１は、この発明に係るコンテンツ再生装置の構成を示すブロック図である。例えば、図１に示すコンテンツ再生装置１は、記録メディアであるディスクｄに記録されたコンテンツデータを再生するコンテンツ再生装置であり、光ピックアップ２、信号処理部３、ＡＶデコーダ４、ＡＶ出力部５、モニタ６、操作入力部７、外部Ｉ／Ｆ処理部８、情報処理部９および不揮発メモリ１０を備えて構成される。
【００１４】
光ピックアップ２は、ディスクｄから記録信号を読み出し、ＡＶストリームに変換して信号処理部３に出力する。
信号処理部３は、光ピックアップ２からのＡＶストリームをＡＶデコーダ４に出力するとともに、光ピックアップ２を介してディスクｄに記録されたＵＯマスク情報を取得する信号処理部である。ここで、ＵＯマスク情報とは、ディスクｄに記録されたコンテンツの内容に応じて特定の操作を禁止するＵＯマスクを規定する情報である。
【００１５】
ＡＶデコーダ４は、ＡＶストリームを映像と音声の出力データにデコードするデコーダである。ＡＶ出力部５は、ＡＶデコーダ４がＡＶストリームをデコードして得られた映像と音声の出力データを入力して、モニタ６の画面に映像を表示し、モニタ６のスピーカで音声出力する。不揮発メモリ１０は、ディスクｄの再生停止時に再生位置情報を、次回の再生開始時のレジューム再生情報として保存するメモリである。
また、不揮発メモリ１０は、ユーザ設定情報を保持するために使用される。
【００１６】
操作入力部７は、ユーザの操作入力を受け付ける操作入力部であり、例えばハードウェアキー、タッチパネル、および、リモートコントローラ（以下、リモコンと略す）１１を用いた操作を受け付ける。また、操作入力部７は、ユーザとの間に介在してユーザ操作を受け付けるＨＭＩ（Ｈｕｍａｎ  Ｍａｃｈｉｎｅ  Ｉｎｔｅｒｆａｃｅ）を構成する。
リモコン１１などを用いて入力された操作信号は、外部Ｉ／Ｆ処理部８を介して、情報処理部９に出力される。情報処理部９は、操作信号に応じたユーザ要求処理を実行する。
【００１７】
また、情報処理部９は、ディスクｄに格納されたＵＯマスク情報に基づいて操作禁止の有無を判定しＡＶデコーダ４に制御指示を行う。すなわち、ユーザが要求した処理にＵＯマスクが設定されている場合、情報処理部９は、ＵＯマスクが設定されている旨、例えば禁止マークなどを表示するようＡＶデコーダ４に指示する。ユーザから要求された操作がモニタ６に画面表示したＧＵＩ（Ｇｒａｐｈｉｃａｌ  Ｕｓｅｒ  Ｉｎｔｅｒｆａｃｅ）である場合、ＡＶ出力部５は、ＧＵＩの画面に禁止マークなどを重畳表示する。
【００１８】
さらに、実施の形態１に係る情報処理部９では、ディスクｄのコンテンツデータを再生している間に、外部Ｉ／Ｆ処理部８により受け付けられた操作がＵＯマスクで禁止されている場合には、当該操作を例えば不揮発メモリ１０に保持し、信号処理部３が取得したＵＯマスク情報に基づいて、ＵＯマスクが解除されたと判断した時点で、保持した操作を実行する。
【００１９】
次に動作について説明する。
図２は、実施の形態１に係るコンテンツ再生装置の動作を示すフローチャートであり、ディスクｄに格納されるコンテンツデータを再生中にユーザから操作要求があった場合の処理を示している。
まず、操作入力部７またはリモコン１１を用いて、ユーザが操作要求を行う（ステップＳＴ１）。ユーザからの操作要求は、外部Ｉ／Ｆ処理部８を経由して情報処理部９に入力される。情報処理部９は、ユーザからの操作要求を解析して、どの操作が要求されたかを判定し、判定結果の操作に対するＵＯマスク情報の有無を信号処理部３に問い合わせる。
【００２０】
信号処理部３は、光ピックアップ２を介して、ディスクｄから判定結果の操作に対するＵＯマスク情報を検索する。
この検索結果に基づいて、情報処理部９は、ユーザから要求された操作にＵＯマスクが設定されているか否かを判定する（ステップＳＴ２）。ここで、ＵＯマスクが設定されていなければ（ステップＳＴ２；ＮＯ）、情報処理部９は、ユーザから要求された操作を実行する（ステップＳＴ３）。
【００２１】
ＵＯマスクが設定されている場合（ステップＳＴ２；ＹＥＳ）、情報処理部９は、ユーザが自動実行機能を設定しているか否かを判定する（ステップＳＴ４）。例えば、ディスクｄのコンテンツを再生する際に、ユーザによって操作入力部７やリモコン１１を用いて自動実行機能が設定された場合、情報処理部９が、その旨を不揮発メモリ１０に記憶し、この記憶内容に基づいて判定を行う。
なお、自動実行機能の設定については、図８を用いて後述する。
【００２２】
自動実行機能が設定されていないと判定した場合（ステップＳＴ４；ＮＯ）、情報処理部９は、禁止マークなどでＵＯマスクを表示するようＡＶデコーダ４に指示する。
ＡＶデコーダ４は、ＵＯマスクを示す禁止マークなどをデコードしてＡＶ出力部５に出力する。これにより、ＡＶ出力部５は、モニタ６の画面に禁止マークなどのＵＯマスクを表示する（ステップＳＴ７）。
【００２３】
一方、自動実行機能が設定されている場合（ステップＳＴ４；ＹＥＳ）、情報処理部９は、ユーザから要求された操作が自動実行の対象操作であるか否かを判定する（ステップＳＴ５）。例えば、自動実行機能を設定する際に、その対象となる操作について入力し、情報処理部９が、その操作を不揮発メモリ１０に記憶する。この操作を不揮発メモリ１０から読み出して判定を行う。
【００２４】
自動実行の対象操作でない場合（ステップＳＴ５；ＮＯ）、情報処理部９は、ステップＳＴ７の処理に移行して、この操作についてのＵＯマスクをモニタ６に表示させる。
また、自動実行の対象操作である場合（ステップＳＴ５；ＹＥＳ）、情報処理部９は、この操作を不揮発メモリ１０に保持する（ステップＳＴ６）。この後、図３の処理に移行する。
【００２５】
図３は、ＵＯマスクが設定された操作の自動実行処理の流れを示すフローチャートであり、図３の処理は、図２に示したユーザからの操作要求を受けたときの処理が完了した後に実行される。まず、情報処理部９は、コンテンツデータを再生中に、一定の周期でＵＯマスクの監視を開始する（ステップＳＴ１ａ）。ここでは、一定の周期で以降の処理が実行される。
次に、情報処理部９は、ユーザが自動実行機能を設定しているか否かを判定する（ステップＳＴ２ａ）。判定方法は、図２のステップＳＴ４と同様である。
自動実行機能が設定されていなければ（ステップＳＴ２ａ；ＮＯ）、ステップＳＴ７ａの処理に移行する。
【００２６】
自動実行機能が設定されている場合（ステップＳＴ２ａ；ＹＥＳ）、情報処理部９は、不揮発メモリ１０の記憶内容を参照して、図２のステップＳＴ６で保持した操作があるか否かを判定する（ステップＳＴ３ａ）。
不揮発メモリ１０に保持した操作がなければ（ステップＳＴ３ａ；ＮＯ）、ステップＳＴ７ａの処理に移行する。
【００２７】
不揮発メモリ１０に保持した操作がある場合（ステップＳＴ３ａ；ＹＥＳ）、情報処理部９は、信号処理部３に指示して、不揮発メモリ１０に保持している操作に関する現在のＵＯマスク情報を取得する（ステップＳＴ４ａ）。
続いて、情報処理部９は、信号処理部３から取得したＵＯマスク情報に基づいて、上記操作のＵＯマスクが解除されたか否かを判定する（ステップＳＴ５ａ）。
ＵＯマスクが解除されていなければ（ステップＳＴ５ａ；ＮＯ）、ステップＳＴ７ａの処理に移行する。
【００２８】
一方、ＵＯマスクが解除された場合（ステップＳＴ５ａ；ＹＥＳ）、情報処理部９は、不揮発メモリ１０に保持されている、現在のＵＯマスクに対応する操作を実行する（ステップＳＴ６ａ）。
ステップＳＴ７ａにおいて、情報処理部９は再生情報の更新処理を実行する。例えば、ステップＳＴ６ａで操作を実行して、コンテンツの再生情報が変化した場合、これで更新する処理を行う。
【００２９】
図４は、ＵＯマスクが設定された操作の自動実行処理の概要を示す図であり、その操作が“早送り”である場合を示している。図４において、モニタ６の画面６ａにおいては、動画コンテンツ（顔の映像）が再生表示されている。このとき、リモコン１１を用いて、ユーザが“早送り”操作を要求した場合、“早送り”操作には、ＵＯマスクが設定されているので、禁止マーク６ｂが画面６ａ上に表示されて“早送り”操作は実行されない。
この後、ＵＯマスクが解除されると、情報処理部９は、直ちに“早送り”操作の実行を開始する。このとき、画面６ａには、早送りマーク６ｃが表示される。
【００３０】
以上のように、この実施の形態１によれば、コンテンツの内容に応じて特定の操作を禁止するＵＯマスクを規定するＵＯマスク情報を取得する信号処理部３と、コンテンツデータの再生中に、外部Ｉ／Ｆ処理部８により受け付けられた操作がＵＯマスクで禁止されている場合、当該操作を保持し、信号処理部３により取得されたＵＯマスク情報に基づいてＵＯマスクが解除されたと判断した時点で、保持した操作を実行する情報処理部９とを備える。このように構成することで、コンテンツにおけるＵＯマスクを用いた操作の制御は維持しつつ、ＵＯマスクされた操作の利便性を向上させることができる。
【００３１】
実施の形態２．
実施の形態２では、ＵＯマスクが設定された操作が要求された場合、この操作と同一のまたは類似した処理結果が得られる他の操作を実行するものである。このようにすることでも、コンテンツにおけるＵＯマスクを用いた操作の制御は維持しつつ、ＵＯマスクされた操作と同一の処理結果または類似した処理結果が得られるため、ユーザの利便性を向上させることができる。
なお、実施の形態２に係るコンテンツ再生装置は、実施の形態１に係る装置と基本的に同様な構成を有するので、以降の説明で装置の構成は図１を参照することとにする。
【００３２】
次に動作について説明する。
図５は、この発明の実施の形態２に係るコンテンツ再生装置の動作を示すフローチャートであり、ディスクｄに格納されるコンテンツデータを再生中にユーザから操作要求があった場合の処理を示している。
まず、操作入力部７またはリモコン１１を用いて、ユーザが操作要求を行う（ステップＳＴ１ｂ）。ユーザからの操作要求は外部Ｉ／Ｆ処理部８を経由して情報処理部９に入力される。情報処理部９は、ユーザからの操作要求を解析して、どの操作が要求されたかを判定し、判定結果の操作に対するＵＯマスク情報の有無を信号処理部３に問い合わせる。
【００３３】
次に、信号処理部３は、光ピックアップ２を介して、ディスクｄから判定結果の操作に対するＵＯマスク情報を検索する。
この検索結果に基づいて、情報処理部９は、ユーザから要求された操作にＵＯマスクが設定されているか否かを判定する（ステップＳＴ２ｂ）。ここで、ＵＯマスクが設定されていなければ（ステップＳＴ２ｂ；ＮＯ）、情報処理部９は、ユーザから要求された操作を実行する（ステップＳＴ３ｂ）。
【００３４】
ＵＯマスクが設定されている場合（ステップＳＴ２ｂ；ＹＥＳ）、情報処理部９は、ユーザが差し替え実行機能を設定しているか否かを判定する（ステップＳＴ４ｂ）。
例えば、ディスクｄのコンテンツを再生する際に、ユーザによって操作入力部７やリモコン１１を用いて差し替え実行機能が設定された場合、情報処理部９が、その旨を不揮発メモリ１０に記憶し、この記憶内容に基づいて判定を行う。なお、差し替え実行機能の設定については、図８を用いて後述する。
【００３５】
差し替え実行機能が設定されていないと判定した場合（ステップＳＴ４ｂ；ＮＯ）、情報処理部９は、禁止マークなどでＵＯマスクを表示するようＡＶデコーダ４に指示する。
ＡＶデコーダ４は、ＵＯマスクを示す禁止マークなどをデコードしてＡＶ出力部５に出力する。これにより、ＡＶ出力部５は、モニタ６の画面に禁止マークなどのＵＯマスクを表示する（ステップＳＴ８ｂ）。
【００３６】
差し替え実行機能が設定されている場合（ステップＳＴ４ｂ；ＹＥＳ）、情報処理部９は、ユーザから要求された操作の類似操作を判断する（ステップＳＴ５ｂ）。ここでは、情報処理部９が、信号処理部３により取得されたＵＯマスク情報に基づいて、ユーザから要求された操作と同一のまたは類似した処理結果が得られる他の操作の中からＵＯマスクが設定されていない操作を判別して、類似操作と判断する。なお、類似操作の判断処理の詳細は、図６から図１２までを用いて後述する。
【００３７】
類似操作がなければ（ステップＳＴ６ｂ；ＮＯ）、情報処理部９は、ステップＳＴ８ｂの処理に移行する。
類似操作がある場合（ステップＳＴ６ｂ；ＹＥＳ）、情報処理部９は、ユーザから要求された操作に差し替えて、この類似操作を直ちに実行する（ステップＳＴ７ｂ）。
【００３８】
図６は、“早送り”の類似操作の判断処理の流れを示すフローチャートである。
まず、情報処理部９は、“早送り”の類似操作の判断を開始すると（ステップＳＴ１ｃ）、信号処理部３により取得されたＵＯマスク情報に基づいて、タイムサーチ（Ｔｉｍｅ  Ｓｅａｒｃｈ）にＵＯマスクが設定されているか否かを判定する（ステップＳＴ２ｃ）。
ここで、タイムサーチは、現在の再生位置からサーチ時間分だけ進んだ位置を再生位置とする操作である。
また、情報処理部９は、外部Ｉ／Ｆ処理部８を介して“早送り”の要求量（例えば、所定の早送り速度に対する早送り時間）を入力し、不揮発メモリ１０に記憶している。
【００３９】
タイムサーチにＵＯマスクが設定されていなければ（ステップＳＴ２ｃ；ＮＯ）、情報処理部９は、上述のように不揮発メモリ１０に記憶した“早送り”の要求量に基づいて、ユーザの早送り要求量に相当するサーチ時間を算出する（ステップＳＴ３ｃ）。
この後、情報処理部９は、ステップＳＴ３ｃで算出したサーチ時間が設定されたタイムサーチを類似操作として確定する（ステップＳＴ４ｃ）。
なお、タイムサーチは、ユーザの早送り要求量に相当するサーチ時間を正確に算出することができれば、早送りと同一の処理結果を得ることができる。
【００４０】
タイムサーチにＵＯマスクが設定されている場合（ステップＳＴ２ｃ；ＹＥＳ）、情報処理部９は、スキップネクスト（Ｓｋｉｐ  Ｎｅｘｔ）にＵＯマスクが設定されているか否かを判定する（ステップＳＴ５ｃ）。ここで、スキップネクストとは、次のチャプターにスキップさせる操作である。
スキップネクストにＵＯマスクが設定されていなければ（ステップＳＴ５ｃ；ＮＯ）、情報処理部９は、スキップネクストを類似操作として確定する（ステップＳＴ４ｃ）。
なお、このスキップネクストは、ユーザが次のチャプターまで早送りを要求した場合に相当し、早送りと類似した処理結果を得ることができる。
【００４１】
スキップネクストにＵＯマスクが設定されている場合（ステップＳＴ５ｃ；ＹＥＳ）、情報処理部９は、チャプターサーチ（Ｃｈａｐｔｅｒ  Ｓｅａｒｃｈ）にＵＯマスクが設定されているか否かを判定する（ステップＳＴ６ｃ）。ここで、チャプターサーチとは、所望のチャプター（サーチターゲット）に移行させる操作である。
チャプターサーチにＵＯマスクが設定されていなければ（ステップＳＴ６ｃ；ＮＯ）、情報処理部９は、チャプターサーチにサーチターゲットとして次のチャプターを設定し（ステップＳＴ７ｃ）、このチャプターサーチを類似操作として確定する（ステップＳＴ４ｃ）。なお、このチャプターサーチは、ユーザが次のチャプターまで早送りを要求した場合に相当し、早送りと類似した処理結果を得ることができる。
【００４２】
チャプターサーチにＵＯマスクが設定されている場合（ステップＳＴ６ｃ；ＹＥＳ）、情報処理部９は、タイトルサーチ（Ｔｉｔｌｅ  Ｓｅａｒｃｈ）にＵＯマスクが設定されているか否かを判定する（ステップＳＴ８ｃ）。ここで、タイトルサーチとは、所望のタイトル（サーチターゲット）を移行させる操作である。
タイトルサーチにＵＯマスクが設定されていなければ（ステップＳＴ８ｃ；ＮＯ）、情報処理部９は、タイトルサーチにサーチターゲットとして次のタイトルを設定し（ステップＳＴ９ｃ）、このタイトルサーチを類似操作として確定する（ステップＳＴ４ｃ）。
なお、このタイトルサーチは、ユーザが次のタイトルの内容まで早送りを要求した場合に相当し、早送りと類似した処理結果を得ることができる。
【００４３】
また、タイトルサーチにもＵＯマスクが設定されている場合（ステップＳＴ８ｃ；ＹＥＳ）、情報処理部９は、ユーザから要求された早送り操作に類似操作がないと判断する（ステップＳＴ１０ｃ）。この処理は図５のステップＳＴ６ｂにおける類似操作がない場合に相当する。
なお、図６に示すように、情報処理部９は、ＵＯマスクで禁止されている操作と同一のまたは類似した処理結果が得られる複数の操作がある場合に、同一の処理結果が得られる操作を、類似した処理結果が得られる操作よりも優先して判別する。
すなわち、早送りの場合、サーチ時間を的確に設定することで同一の処理結果が得られるタイムサーチから順に判定を行い、先に類似操作と判断されれば、その操作を類似操作に確定する。
このようにすることで、ＵＯマスクが設定された操作と同一の処理結果が得られる操作を優先して実行することができ、ユーザの利便性を向上させることができる。
【００４４】
図７は、類似操作の実行処理の概要を示す図であり、その操作が“早送り”である場合を示している。図７において、モニタ６の画面６ａにおいては、動画コンテンツの“タイトル１のチャプター１”が再生されている。このとき、リモコン１１を用いて、ユーザが“早送り”操作を要求した場合、“早送り”操作にはＵＯマスクが設定されているので、禁止マーク６ｂが画面６ａ上に表示されて“早送り”操作は実行されない。
このときの“早送り”の要求量が再生位置（１２：３４）から再生位置（１３：００）までであった場合、情報処理部９は、サーチ時間が１３：００に設定されたタイムサーチを早送りに差し替えて実行する。これにより、画面６ａには、再生位置（１３：００）の動画が表示される。
【００４５】
図８は、自動実行および差し替え実行の選択画面の一例を示す図である。図８に示すように、選択画面６Ａ上には、実施の形態１で示した自動実行の選択ボタン６ｄ、実施の形態２で示した差し替え実行の選択ボタン６ｅ、およびこれらの選択を解除するオフボタン６ｆが配置されている。ユーザは、操作入力部７またはリモコン１１を用いて、これらのボタン６ｄ〜６ｆを選択して活性化させることで、その入力情報が外部Ｉ／Ｆ処理部８を介して情報処理部９に入力される。情報処理部９は、入力情報に応じて、自動実行または差し替え実行を設定し、さらにこれらの設定を解除する。
このようにすることで、ユーザは、選択画面６Ａに基づいて、自動実行および差し替え実行の設定とこれらの設定解除を自由に行うことができる。
【００４６】
図９は、“早戻し”の類似操作の判断処理の流れを示すフローチャートである。図９のステップＳＴ１ｄからステップＳＴ１０ｄまでの処理は、図６のステップＳＴ１ｃからステップＳＴ１０ｃまでの処理において再生位置を戻る方向に移行させた場合に相当するので詳細な説明は省略する。
【００４７】
図１０は、“スキップネクスト”の類似操作の判断処理の流れを示すフローチャートである。まず、情報処理部９は、“スキップネクスト”の類似操作の判断を開始すると（ステップＳＴ１ｅ）、信号処理部３により取得されたＵＯマスク情報に基づいて、チャプターサーチにＵＯマスクが設定されているか否かを判定する（ステップＳＴ２ｅ）。
チャプターサーチにＵＯマスクが設定されていなければ（ステップＳＴ２ｅ；ＮＯ）、情報処理部９は、チャプターサーチにサーチターゲットとして次のチャプターを設定し（ステップＳＴ３ｅ）、このチャプターサーチを類似操作として確定する（ステップＳＴ４ｅ）。なお、このチャプターサーチは、ユーザが次のチャプターまでスキップした場合に相当し、スキップネクストと同一の処理結果を得ることができる。
【００４８】
チャプターサーチにＵＯマスクが設定されている場合（ステップＳＴ２ｅ；ＹＥＳ）、情報処理部９は、タイトルサーチにＵＯマスクが設定されているか否かを判定する（ステップＳＴ５ｅ）。ここで、タイトルサーチにＵＯマスクが設定されていなければ（ステップＳＴ５ｅ；ＮＯ）、情報処理部９は、タイトルサーチにサーチターゲットとして次のタイトルを設定し（ステップＳＴ６ｅ）、このタイトルサーチを類似操作として確定する（ステップＳＴ４ｅ）。なお、このタイトルサーチは、ユーザが次のタイトルの内容までスキップネクストを要求した場合に相当し、スキップネクストと類似した処理結果を得ることができる。
【００４９】
また、タイトルサーチにもＵＯマスクが設定されている場合（ステップＳＴ５ｅ；ＹＥＳ）、情報処理部９は、ユーザから要求されたスキップネクスト操作に類似操作がないと判断する（ステップＳＴ７ｅ）。この処理は、図５のステップＳＴ６ｂにおける類似操作がない場合に相当する。
【００５０】
図１１は、“スキップバック”の類似操作の判断処理の流れを示すフローチャートである。図１１のステップＳＴ１ｆからステップＳＴ７ｆまでの処理は、図１０のステップＳＴ１ｅからステップＳＴ７ｅまでの処理において再生位置を戻る方向に移行させた場合に相当するので詳細な説明は省略する。
【００５１】
図１２は、“ポップアップオン”の類似操作の判断処理の流れを示すフローチャートである。ポップアップオンは、ポップアップの表示を許可する操作であり、例えば、ポップアップとしてメニュー画面が表示される。
まず、情報処理部９は、“ポップアップオン”の類似操作の判断を開始すると（ステップＳＴ１ｇ）、信号処理部３により取得されたＵＯマスク情報に基づいてメニューコールにＵＯマスクが設定されているか否かを判定する（ステップＳＴ２ｇ）。
ここで、メニューコールとは、メニュー画面を呼び出す操作である。
【００５２】
メニューコールにＵＯマスクが設定されていなければ（ステップＳＴ２ｇ；ＮＯ）、情報処理部９は、メニューコールを類似操作として確定する（ステップＳＴ３ｇ）。
なお、このメニューコールは、メニュー画面を呼び出す操作であるので、ポップアップとしてメニュー画面を表示する場合に相当し、ポップアップオンと同一の処理結果が得られる場合がある。
メニューコールにＵＯマスクが設定されている場合（ステップＳＴ２ｇ；ＹＥＳ）、情報処理部９は、ユーザから要求されたポップアップオン操作に類似操作がないと判断する（ステップＳＴ４ｇ）。この処理は、図５のステップＳＴ６ｂにおける類似操作がない場合に相当する。
【００５３】
図１３は、“メニューコール”の類似操作の判断処理の流れを示すフローチャートである。まず、情報処理部９は、“メニューコール”の類似操作の判断を開始すると（ステップＳＴ１ｈ）、信号処理部３により取得されたＵＯマスク情報に基づいて、ポップアップオンにＵＯマスクが設定されているか否かを判定する（ステップＳＴ２ｈ）。
【００５４】
ポップアップオンにＵＯマスクが設定されていなければ（ステップＳＴ２ｈ；ＮＯ）、情報処理部９は、ポップアップオンを類似操作として確定する（ステップＳＴ３ｈ）。
なお、このポップアップオンは、ポップアップとしてメニュー画面を表示する操作であるので、メニューコールと同一の処理結果が得られる場合がある。
ポップアップオンにＵＯマスクが設定されている場合（ステップＳＴ２ｈ；ＹＥＳ）、情報処理部９は、ユーザから要求されたメニューコール操作に類似操作がないと判断する（ステップＳＴ４ｈ）。この処理は、図５のステップＳＴ６ｂにおける類似操作がない場合に相当する。
【００５５】
図１４は、“タイトルメニュー”の類似操作の判断処理の流れを示すフローチャートである。ここで、タイトルメニューは、動画コンテンツの各タイトルが配置されたメニュー画面を表示する操作である。
まず、情報処理部９は、“タイトルメニュー”の類似操作の判断を開始すると（ステップＳＴ１ｉ）、信号処理部３により取得されたＵＯマスク情報に基づいてルートメニューにＵＯマスクが設定されているか否かを判定する（ステップＳＴ２ｉ）。
ここで、ルートメニューとは、動画コンテンツにおける、チャプタメニュー、オーディオメニュー、サブタイトルメニューおよびアングルメニューが配置されたメニュー画面を表示する操作である。
【００５６】
ルートメニューにＵＯマスクが設定されていなければ（ステップＳＴ２ｉ；ＮＯ）、情報処理部９は、ルートメニューを類似操作として確定する（ステップＳＴ３ｉ）。
なお、このルートメニューは、サブタイトルメニューなどが配置されたメニュー画面を表示する操作であるので、タイトルメニューと類似した処理結果が得られる。
ルートメニューにＵＯマスクが設定されている場合（ステップＳＴ２ｉ；ＹＥＳ）、情報処理部９は、ユーザから要求されたタイトルメニュー操作に類似操作がないと判断する（ステップＳＴ４ｉ）。この処理は、図５のステップＳＴ６ｂにおける類似操作がない場合に相当する。
【００５７】
図１５は、“ルートメニュー”の類似操作の判断処理の流れを示すフローチャートである。まず、情報処理部９は、“ルートメニュー”の類似操作の判断を開始すると（ステップＳＴ１ｊ）、信号処理部３により取得されたＵＯマスク情報に基づいて、タイトルメニューにＵＯマスクが設定されているか否かを判定する（ステップＳＴ２ｊ）。
【００５８】
タイトルメニューにＵＯマスクが設定されていなければ（ステップＳＴ２ｊ；ＮＯ）、情報処理部９は、タイトルメニューを類似操作として確定する（ステップＳＴ３ｊ）。
なお、このタイトルメニューは、タイトルが配置されたメニュー画面を表示する操作であるので、ルートメニューと類似した処理結果が得られる。
タイトルメニューにＵＯマスクが設定されている場合（ステップＳＴ２ｊ；ＹＥＳ）、情報処理部９は、ユーザから要求されたルートメニュー操作に類似操作がないと判断する（ステップＳＴ４ｊ）。この処理は、図５のステップＳＴ６ｂにおける類似操作がない場合に相当する。
【００５９】
以上のように、この実施の形態２によれば、コンテンツの内容に応じて特定の操作を禁止するＵＯマスクを規定するＵＯマスク情報を取得する信号処理部３と、コンテンツデータの再生中に、外部Ｉ／Ｆ処理部８により受け付けられた操作がＵＯマスクで禁止されている場合、信号処理部３により取得されたＵＯマスク情報に基づいて当該操作と同一のまたは類似した処理結果が得られる他の操作の中からＵＯマスクが設定されていない操作を判別し、判別結果の操作を実行する情報処理部９とを備える。このように構成することでも、コンテンツにおけるＵＯマスクを用いた操作の制御は維持しつつ、ＵＯマスクされた操作の利便性を向上させることができる。
【００６０】
また、この実施の形態２によれば、情報処理部９が、ＵＯマスクで禁止されている操作と同一のまたは類似した処理結果が得られる複数の操作がある場合、同一の処理結果が得られる操作を、類似した処理結果が得られる操作よりも優先して判別する。このようにすることで、ＵＯマスクが設定された操作と同一の処理結果が得られる操作を優先して実行することができ、ユーザの利便性を向上させることができる。
【００６１】
なお、本発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６２】
１  コンテンツ再生装置、２  光ピックアップ、３  信号処理部、４  ＡＶデコーダ、５  ＡＶ出力部、６  モニタ、６ａ  画面、６ｂ  禁止マーク、６ｃ  早送りマーク、７  操作入力部、８  外部Ｉ／Ｆ処理部、９  情報処理部、１０  不揮発メモリ、１１  リモコン。
【図１】
2014182860.tif 000003
【図２】
2014182860.tif 000004
【図３】
2014182860.tif 000005
【図４】
2014182860.tif 000006
【図５】
2014182860.tif 000007
【図６】
2014182860.tif 000008
【図７】
2014182860.tif 000009
【図８】
2014182860.tif 000010
【図９】
2014182860.tif 000011
【図１０】
2014182860.tif 000012
【図１１】
2014182860.tif 000013
【図１２】
2014182860.tif 000014
【図１３】
2014182860.tif 000015
【図１４】
2014182860.tif 000016
【図１５】
2014182860.tif 000017